【手続補正書】
【提出日】平成17年10月13日(2005.10.13)
【手続補正１】
【補正対象書類名】明細書
【補正対象項目名】特許請求の範囲
【補正方法】変更
【補正の内容】
【特許請求の範囲】
【請求項１】  図形的ユーザインタフェースを用いて曲げプランを生成するためのシステムにして、前記曲げプランはある設備において部品を製造するために使用されるように構成されており、前記システムは、
表示装置上に曲げ順入力ウインドーを生成し且つ表示するための曲げ順表示システムにして、前記曲げ順入力ウインドーは、前記部品の２次元平面画像を備えるものと； 
前記表示装置上に工具情報を生成し且つ表示するための工具表示装置にして、前記工具情報は複数の工具に関連するものと；
前記部品の前記２次元平面画像に基づいて曲げ順を入力し、且つ、前記表示装置上に表示された前記工具情報に基づいて工具を選択するための入力装置と；
前記入力装置により入力され且つ選択された前記曲げ順および、前記工具に基づく前記部品のための曲げプランを格納するための曲げプラン格納システムと；
を含み、
前記曲げ順表示システムは、前記入力装置により入力された前記曲げ順に基づいて前記部品の複数の立体画像を前記表示装置上に生成し且つ表示するように構成されている。
【請求項２】  請求項１によるシステムにして、前記部品の２次元平面画像は前記部品の各曲げ線の表現を含み、前記入力装置は、前記部品の２次元平面図において表示された各曲げ線を選択することにより前記曲げ順を入力するように構成されており、前記システムは更に、前記部品の前記各曲げ線についての挿入方向情報を前記表示装置上で決定し且つ表示するための挿入方向決定システムを有する。
【請求項３】  請求項２によるシステムにして、それは更に前記入力装置により入力された前記曲げ順に基づいて前記各曲げ線についての曲げ順番号を前記表示装置上に表示するための曲げ順番号表示システムを含む。
【請求項４】  請求項３によるシステムにして、前記各曲げ線は前記部品を２つの面に分離し、前記挿入方向決定システムはより短い所定の寸法を有する前記部品の面に基づいて前記各曲げ線についての挿入方向を決定するように構成されている。
【請求項５】  請求項１によるシステムにして、前記複数の立体画像は前記曲げ順に対応する順番で前記表示システムにより表示される。
【請求項６】  請求項５によるシステムにして、それは更に、前記表示装置上の前記複数の立体画像の表示された順番の修正に基づいて前記曲げ順を修正するためのドラッグ・ドロップ編集システムを有する。
【請求項７】  請求項６によるシステムにして、前記ドラッグ・ドロップ編集システムは、前記入力装置により前記複数の立体画像の１つが選択され前記表示されたシーケンス内の異なる位置へ移動される時、前記表示されたシーケンスを修正するように構成されている。
【請求項８】  請求項６によるシステムにして、前記曲げ順表示システムは、前記修正された曲げ順に基づいて前記複数の立体画像及び前記部品の前記各表現を再生成し表示するように構成されている。
【請求項９】  請求項１によるシステムにして、前記部品の２次元平面画像と前記部品の複数の立体画像は前記表示装置上に同時に表示される。
【請求項１０】  図形的ユーザインタフェースを用いて曲げプランを生成するためのプログラムを記憶した記憶媒体にして、前記曲げプランはある設備において部品を製造するために使用されるように構成されており、
前記プログラムはコンピュータを、
部品の２次元平面画像を備える曲げ順入力ウインドーを表示装置上に生成するため曲げ順表示システム； 及び
複数の工具に関連する工具情報を前記表示装置上に生成するため工具表示システム；及び
適宜の入力装置により入力され且つ選択された曲げ順及び工具に基づく前記部品のための曲げプランを格納するための曲げプラン格納システム；
として機能させ、
前記曲げ順表示システムは更に、前記入力装置により入力された前記曲げ順に基づいて、前記曲げ順の各々の段階における部品の表現に関連する部品の複数の立体画像を前記表示装置上に生成し且つ表示するように構成されることを特徴とするプログラムを記憶した記憶媒体。
【請求項１１】  図形的ユーザインタフェースを用いて曲げプランを生成するための方法にして、前記曲げプランは設備における部品の製造において使用されるように構成され、前記方法は、
表示装置上に曲げ順入力ウィンドウを生成し且つ表示する工程にして、前記曲げ順入力ウィンドウは前記部品の２次元平面画像を有するものと；
入力装置を用いて、前記部品の２次元平面画像に基づいて曲げ順を入力する工程と；
前記表示装置上に工具情報を生成し表示する工程にして、前記工具情報は複数の工具に関連するものと；
前記表示装置上に表示される工具情報に基づいて前記入力装置により工具を選択する工程と；
前記入力された曲げ順及び前記選択された工具に基づいて前記部品についての曲げプランを格納装置内に格納する工程と；
を含み、
前記方法は更に、前記入力された曲げ順に基づいて前記表示装置上に前記部品の複数の立体画像を生成し表示する工程を含み、前記部品の複数の立体画像は、前記曲げ順の各段階における前記部品の表現に関連する。
【請求項１２】  図形的ユーザインタフェースを用いて曲げプランを生成するためのプログラムを記憶した記憶媒体にして、前記曲げプランはある設備において部品を製造するために使用されるように構成されており、
前記プログラムはコンピュータに、
前記部品の２次元平面画像を含む曲げ順入力ウィンドウを表示装置上に生成し且つ表示する工程；及び
複数の工具に関連する工具情報を前記表示装置上に生成し表示する工程；及び
適宜の入力手段に基づいて入力された曲げ順及び選択された工具に基づいて前記部品についての曲げプランを格納装置内に格納する工程と；及び
前記入力された曲げ順に基づいて前記表示装置上に前記部品の複数の立体画像を生成し表示する工程にして、前記部品の複数の立体画像は、前記曲げ順の各段階における前記部品の表現に関連するもの；
を実行させるプログラムを記憶した記憶媒体。
【請求項１３】  請求項１２による記憶媒体にして、前記プログラムは更に、前記入力装置により入力される前記曲げ順に基づいて前記曲げ線に対して曲げ順番号を前記表示装置上において表示することを含む。
【請求項１４】  請求項１２による記憶媒体にして、前記部品の２次元平面画像は、前記部品の各曲げ線の表現を含み、前記プログラムは、前記部品の２次元平面画像において表示された前記各曲げ線を選択することにより前記曲げ順が入力された場合に此の曲げ順を表示装置上に表示し、かつ、前記部品の前記各曲げ線についての挿入方向情報を入力された場合に此の挿入方向を表示装置上に表示することを含む。
【請求項１５】  請求項１４による記憶媒体にして、前記プログラムは、更に、前記曲げ順に対応する順番で前記部品の複数の立体画像を表示し、且つ、前記表示装置上の前記複数の立体画像の前記表示された順番の変更に基づいて前記曲げ順の変更を行うべくドラッグ・ドロップ編集する場合に此の編集に応じて曲げ順データを変更する操作を含む。
【請求項１６】  請求項１５による記憶媒体にして、プログラムは、前記複数の立体画像の少なくとも１つが前記表示された順番の中で異なる位置へ移動された場合に、前記表示された順番を修正する操作を含む。
【請求項１７】  請求項１５による記憶媒体にして、プログラムは更に、前記修正された曲げ順番に基づいて前記複数の立体画像及び前記部品の各々の表示を再生成し且つ表示する操作を含む。
【請求項１８】  請求項１２による記憶媒体にして、前記工具情報を、一連の連続的に表示されるスクリーン表示を介して表示することを含み、前記連続的に表示されるスクリーン表示の少なくとも１つは前記入力装置による前段階の選択に基づいて表示される。
【請求項１９】  請求項１８による記憶媒体にして、プログラムは更に、複数の工具タイプアイコンを備える第１のスクリーン表示を前記表示装置上に表示する工程を含み、前記工具タイプアイコンの各々は工具タイプを表す。
【請求項２０】  請求項１９による記憶媒体にして、プログラムは更に入力装置により前記工具タイプアイコンの１つが選択されると、この工具タイプアイコンの１つの選択に応じて前記表示装置上に第２のスクリーン表示を表示することを含み、前記第２スクリーン表示は複数の工具形状アイコンを含み、前記工具形状アイコンのそれぞれは前記入力装置により選択された工具タイプアイコンに関連する。
【請求項２１】  請求項２０による記憶媒体にして、プログラムは更に前記入力装置により前記工具形状アイコンの１つが選択されると、此の工具形状アイコンの１つの選択に応じて前記表示装置上に工具寸法データのテーブルを表示することを含み、前記工具寸法データは複数の工具に関連し、前記複数の工具のそれぞれは前記入力装置により選択された工具形状アイコンに関連する。
【請求項２２】  請求項１２による記憶媒体にして、前記工具立て情報は、前記曲げプランにおいて使用される各工具についての曲げ加工機内での工具位置に関連する工具組み付け情報を含み、前記プログラムは更に前記表示装置上に工具組み付けウィンドウを生成し且つ表示すること及び前記工具組み付けウィンドウに基づいて前記入力装置により前記工具組み付け情報が選択された場合に、此の選択情報を記憶する操作を含む。
【請求項２３】  請求項１２による記憶媒体にして、前記部品の２次元平面画像と前記部品の複数の立体画像は前記表示装置上に同時に表示される。
【請求項２４】  図形的ユーザインタフェースを使用することにより曲げ順を生成するシステムにして、前記曲げ順は、ある設備における部品の製造に使用されるように設計されており、前記システムは、
表示装置上に曲げ順入力ウインドーを生成し且つ表示するための曲げ順表示システムにして、前記曲げ順入力ウインドーは前記部品の２次元平面画像を有するものと；
前記部品の前記２次元平面画像に基づいて曲げ順を入力するための入力装置と；
を含み、
前記曲げ順表示システムは更に、前記入力装置により入力された前記曲げ順に基づいて前記部品の複数の立体画像を生成し且つ表示するように構成されており、前記部品の前記複数の立体画像の各々は、前記曲げ順内のある段階における前記部品の表現に対応している。
【請求項２５】  請求項２４によるシステムにして、それは更に前記入力装置により入力される前記曲げ順に基づいて前記部品の曲げ順を格納するための曲げ順格納システムを含む。
【請求項２６】  請求項２４によるシステムにして、前記部品の２次元平面画像は前記部品の各曲げ線の表現を含み、前記部品の前記２次元平面画像において表示された前記曲げ線を選択することにより前記入力装置により入力される。
【請求項２７】  請求項２４による方法にして、前記部品の複数の立体画像は前記曲げ順に応じた順番で表示される。
【請求項２８】  請求項２７によるシステムにして、それは更に、前記表示装置上の前記複数の立体画像の表示された順番の修正に基づいて前記曲げ順を修正するためのドラッグ・ドロップ編集システムを有する。
【請求項２９】  請求項２８によるシステムにして、前記ドラッグ・ドロップ編集システムは、前記入力装置により前記複数の立体画像の１つが選択され前記表示された順番において異なる位置へ移動される時、前記表示された順番を修正する手段を有する。
【請求項３０】  請求項２８によるシステムにして、前記曲げ順表示システムは、前記修正された曲げ順に基づいて前記複数の立体画像及び前記部品の各々の表現を再生成し且つ表示する手段を有する。
【請求項３１】  請求項２４によるシステムにして、前記部品の２次元平面画像及び前記部品の複数の立体画像は前記表示装置上に同時に表示される。
【請求項３２】  図形的ユーザインタフェースを使用することにより曲げ順を生成するためのプログラムを記憶した記憶媒体にして、前記曲げ順は、ある設備における部品の製造に使用されるように設計されており、前記プログラムはコンピュータを、
前記部品の２次元平面画像を含む曲げ順入力ウインドーを表示装置上に生成し且つ表示するための曲げ順表示システムにして、
適宜の入力装置により入力、選択された曲げ順に基づいて前記部品の複数の立体画像を生成し且つ表示するように構成されており、前記部品の前記複数の立体画像の各々は、前記曲げ順内のある段階における前記部品の表現に対応しているもの、
として機能させるプログラムを記憶した記憶媒体。
【請求項３３】  図形的ユーザインタフェースを用いることにより曲げ順を生成する方法にして、前記曲げ順はある設備において部品の製造に使用されるように構成されており、前記方法は、
表示装置上に曲げ順入力ウィンドウを生成し且つ表示する工程にして、前記曲げ順入力ウィンドウは前記部品の２次元平面画像を有するものと；
前記部品の前記２次元平面画像に基づいて入力装置により曲げ順を入力する工程と；
前記入力装置により入力された前記曲げ順に基づいて前記部品の複数の立体画像を生成し且つ表示する工程にして、前記部品の前記複数の立体画像の各々は前記曲げ順におけるある段階の前記部品の表現に関連するものと；
を含む。
【請求項３４】  図形的ユーザインタフェースを用いることにより曲げ順を生成するためのプログラムを記憶した記憶媒体にして、前記曲げ順は曲げ加工設備において部品の製造に使用されるように構成されており、
前記プログラムはコンピュータに、
前記部品の２次元平面画像を含む曲げ順入力ウィンドウを表示装置上に生成し且つ表示する工程にして、入力装置により入力された曲げ順に基づいて、前記曲げ順におけるある段階の部品の表現に関連する部品の複数の立体画像を生成し且つ表示する工程
を実行させることを特徴とするプログラムを記憶した記憶媒体。
【請求項３５】  請求項３４による記憶媒体にして、前記プログラムは、更に、前記部品の複数の立体画像を、曲げ順に応じて順番に表示し、且つ、前記表示装置上の前記複数の立体画像の前記表示された順番の変更に基づいて前記曲げ順の変更を行うべくドラッグ・ドロップ編集する場合に此の編集に応じて曲げ順データを変更する操作を含む。
【請求項３６】  請求項３５による記憶媒体にして、前記プログラムは、前記複数の立体画像の少なくとも１つを前記表示された順番の中で異なる位置へ移動された場合に、前記表示された順番を修正することを含む。
【請求項３７】  請求項３５による記憶媒体にして、プログラムは更に前記修正された曲げ順に基づいて前記複数の立体画像及び前記部品の各表現を再生成し且つ表示することを含む。
【請求項３８】  請求項３４による記憶媒体にして、前記部品の２次元平面画像は前記部品の各曲げ線の表現を含み、前記プログラムは更に、前記部品の前記２次元平面画像において表示された各曲げ線が入力装置により選択されることにより前記曲げ順を入力する操作を含む。
【請求項３９】  請求項３４による記憶媒体にして、前記部品の２次元平面画像と前記部品の複数の立体画像は前記表示装置上に同時に表示される。